(57)【要約】  【課題】コンパクトな構造で、天板面の拡張のみならず物品の収納機能をも兼ね備えた天板を提供する。  【解決手段】主として物品の載置面となる上面を有する上天板２と、その下面側に配置される下天板３とを有する二重天板構造を有する天板１において、上天板２によって下天板３が上方から隠蔽された通常使用位置Ｐと下天板３の上面の一部が上方へ開放される開放使用位置Ｑとの間で上天板２と下天板３とを相対的に移動させる移動機構４を設け、開放使用位置Ｑにおいて上方へ開放される下天板３の露出部位に、天板１上又はその周囲での作業に付帯して使用される物品を収納可能な収納部３１を設けた。【選択図】図２
2005192758.tif 000002
【特許請求の範囲】
【請求項１】
主として物品の載置面となる上面を有する上天板と、該上天板の下面側に配置される下天板と、前記上天板によって下天板が上方から隠蔽された通常使用位置と下天板の上面の一部を上天板に覆われることなく上方へ開放する開放使用位置との間で前記上天板と下天板とを相対的に移動させる移動機構とを具備し、前記開放使用位置において上方へ開放される下天板の露出部位に、天板上又はその周囲での作業に付帯して使用される物品を収納可能な収納部を設けていることを特徴とする天板。
【請求項２】
前記移動機構が、前記上天板における上面の高さ位置を維持した状態で上天板と下天板とを相対的にスライド移動させるものである請求項１記載の天板。
【請求項３】
前記移動機構が、前記上天板と下天板とを一方向に可逆的に相対スライド移動させるものである請求項２記載の天板。
【請求項４】
前記移動機構を、前記下天板の上面に上方へ開口させて形成し又は上天板の下面に下方へ開口させて形成したガイド溝と、該ガイド溝内を移動するように上天板の下面又は下天板の上面に設けられたスライダとから構成している請求項１、２又は３記載の天板。
【請求項５】
前記ガイド溝が、下天板又は上天板の長手方向に沿って形成した長溝状をなすものであり、前記スライダが、前記長溝状のガイド溝に沿って上天板又は下天板に取り付けられ上天板又は下天板の長手方向と合致する方向に長手寸法を有する部材である請求項４記載の天板。
【請求項６】
前記ガイド溝を形成した下天板又は上天板に、当該ガイド溝に連通するスリットを有し該ガイド溝と同一方向に延びる規制部材を設け、該規制部材と前記スライダとをスライド移動可能且つ上下移動不能に係合させて前記上天板と下天板との上下方向への離間を規制する上下離間規制部を形成している請求項４又は５記載の天板。
【請求項７】
前記上天板と下天板との上下方向への離間を規制する上下離間規制部を具備している請求項２、３又は４記載の天板。
【請求項８】
前記収納部の上端を、前記下天板の上面と略同一高さ位置に設定している請求項１、２、３、４、５、６又は７記載の天板。
【請求項９】
前記収納部が、ペン等の小物類を収納し得るトレーである請求項１、２、３、４、５、６、７又は８記載の天板。
【請求項１０】
前記収納部が、電源用又は情報用コンセントを収納し得るコンセントホルダである請求項１、２、３、４、５、６、７又は８記載の天板。
【発明の詳細な説明】
【技術分野】
【０００１】
本発明は、テーブルに適用される天板に関するものである。
【背景技術】
【０００２】
テーブル（デスクを含む、以下同）の天板において、上天板と下天板とを上下に重合させ、両者を相対的に移動し得るように構成したものが従来より考えられている（例えば、特許文献１参照）。同文献に記載の天板は、上天板（上板）と下天板（下板）とを有する二重天板であって、上天板を下天板に対して水平回転又は水平スライドさせることによって、上天板の上面のみならず下天板の上面をも上方へ露出させて、物品を載置するための天板面を拡張しようとするものである。
【特許文献１】特開平９−２２４７４６号公報
【発明の開示】
【発明が解決しようとする課題】
【０００３】
オフィスに設置されるミーティング用等の大型テーブルには、そのテーブルを用いた作業において用いられることが多い筆記具や指図用ポインタ等の小物類、あるいは電源用又は情報用コンセントを収納しておくスペースがないため、小物類の収納具を別途に用意したり、床面や壁面に設けられているコンセントから天板上までケーブルを引き延ばさなければならないという不具合があり、このような機能を効率的にテーブルに付帯させてほしいというユーザの要望がある。ところが、上述のような従来の二重天板では、露出させた状態にある下天板の上面は上天板の上面と同じく通常の天板面としての機能、すなわち物品を載置する機能しか有しておらず、ユーザの希望を満たすものではなかった。この場合、天板の下面側に然るべき引出等を設けることも上述した不具合の一解決策として考えられるが、その引出のために天板の下方空間が狭められることになるため、特に多人数が天板下空間に脚を入れて作業するようなミーティング用のテーブルに引出を設けることは適切ではない。また、特に上天板を水平回転させるような構造では、狭く限られたスペースしか確保できないオフィス等では、上天板を十分に回転させて所望の機能を果たさせることが困難であり、単に天板面を拡張するという目的で下天板を露出させるように上天板を引き出した場合には、上天板の下面側に設けられている補助脚を利用しなければ、上天板の安定を図ることができないという問題が生じ得る。
【０００４】
そこで本発明は、以上のような問題に鑑みて、二重天板構造を有する天板において、コンパクトな構造にして天板面の拡張のみならず物品の収納機能をも実現し得る天板を提供しようとするものである。
【課題を解決するための手段】
【０００５】
すなわち、本発明の天板は、主として物品の載置面となる上面を有する上天板と、この上天板の下面側に配置される下天板と、上天板によって下天板が上方から隠蔽された通常使用位置と下天板の上面の一部を上天板に覆われることなく上方へ開放する開放使用位置との間で上天板と下天板とを相対的に移動させる移動機構とを具備し、開放使用位置において上方へ開放される下天板の露出部位に、天板上又はその周囲での作業に付帯して使用される物品を収納可能な収納部を設けていることを特徴としている。ここで、「天板上又はその周囲での作業に付帯して使用される物品」とは、例えばペンをはじめとする文具や指図用ポインタ等に代表される小物類、電源用や情報用のコンセント等を意味し、それらの物品を収納可能な「収納部」には、上述の例でいえば小物類を収納するトレイ、コンセントホルダ等が該当する。さらに、トレイの一態様としての灰皿等の物品を収納する機能を有するものは「収納部」の概念に含まれる。
【０００６】
このような構成の天板であると、通常使用位置においては物品を載置するという天板本来の機能を奏するのに加えて、上天板と下天板とを開放使用位置まで相対移動させるだけで上述のような収納部が上方へ開放された状態で表出するため、物品を載置するだけでなく、通常使用位置では天板上やその周囲で使用される物品を効率的に隠しておき、開放使用位置ではそれら物品を使い勝手よく取り出すという優れた機能を天板に付与することができる。したがって、本発明を引出を付帯させるのに適切でない大型のミーティングテーブル用に適用した場合に、とりわけ機能的で優れた天板を適用することができることとなる。なお、移動機構による上天板と下天板との相対的な移動方向は特に限定されるものではない。
【０００７】
このような天板において、主たる物品の載置面たる上天板の上面の使い勝手を開放使用位置においても通常使用位置の場合と同等にするためには、移動機構を、上天板における上面の高さ位置を維持した状態で上天板と下天板とを相対的にスライド移動させるものとすることが望ましい。
【０００８】
さらに、狭いスペースにおいても上天板と下天板との相対移動を可能とするとともに、その操作性も簡便なものとするためには、移動機構を、上天板と下天板とを一方向に可逆的に相対スライド移動させるものとすることが好ましい。
【０００９】
この場合、ガイド溝を下天板又は上天板の長手方向に沿って形成した長溝状をなすものとして形成し、スライダを、この長溝状のガイド溝に沿って上天板又は下天板に取り付けられ上天板又は下天板の長手方向と合致する方向に長手寸法を有する部材とすることで、上天板と下天板との相対的なスライド動作をスムーズ且つブレのないものとするとともに、特に上天板又は下天板が木製天板である場合にはこのスライダを取り付けた方の反りを移動機構の構成部材を有効利用しつつ好適に防止できることとなる。
【００１０】
さらに、ガイド溝を形成した下天板又は上天板に、そのガイド溝に連通するスリットを有しガイド溝と同一方向に延びる規制部材を設け、この規制部材とスライダとをスライド移動可能且つ上下移動不能に係合させて上天板と下天板との上下方向への離間を規制する上下離間規制部を形成すれば、上天板と下天板との相対的なスライド移動の安定化と上下方向への離間を防止しつつ、規制部材を設けた側の下天板又は上天板の反りをも防止することが可能となる。
【００１１】
なお、このような構成に限らずとも、上天板と下天板との必要な相対移動のみを実現しつつ両天板の上下離間を防止するには、天板に、上天板と下天板との上下方向への離間を規制するための適宜の上下離間規制部を設けるとよい。
【００１２】
また、移動機構の存在によって天板全体の厚さが過大とならないようにして、コンパクト化を図るには、移動機構を、下天板の上面に上方へ開口させて形成し又は上天板の下面に下方へ開口させて形成したガイド溝と、そのガイド溝内を移動するように上天板の下面又は下天板の上面に設けられたスライダとから構成することが有効となる。
【００１３】
さらに、下天板に収納部を設けても天板全体の厚さに変更を生じず、コンパクトな構造を維持するためには、収納部の上端を、下天板の上面と略同一高さ位置に設定することが好適である。
【００１４】
なお、適切な収納部としては、ペン等の小物類を収納し得るトレーや、電源用又は情報用コンセントを収納し得るコンセントホルダを挙げることができるのは上述したとおりである。
【発明の効果】
【００１５】
本発明に係る天板は、上天板と下天板との二重天板構造を有し、さらにそれらを相対的に移動させる移動機構を備えており、この移動機構によって上天板と下天板とを、それらが上下に重合された通常使用位置と下天板が部分的に上方へ開放されて当該下天板に設けた収納部が露出される開放使用位置との間で相対移動させるように構成してものである。そのため、通常使用位置では上天板の上面が物品を載置するという天板本来の機能を発揮し、開放使用位置では上天板の上面による物品載置機能に加えて、下天板の収納部にペンや指図用ポインタ等の小物類、或いはコンセントホルダ等を好適に収納するという機能を発揮する。すなわち、斯かる天板は、物品を載置するだけでなく、通常使用位置では収納部内の物品を隠しておき、必要なときにのみ上天板と下天板とを相対的に移動させてそれら物品を取り出すことができることになり、引出を設けにくいミーティングテーブル用に適用した場合に機能的で有用な天板を提供ことが可能である。
【発明を実施するための最良の形態】
【００１６】
以下、本発明の一実施形態を、図面を参照して説明する。
【００１７】
図１及び図２に示す本実施形態の天板１は、多人数での会議や作業に適したミーティングテーブル（以下、「テーブル」と略称する）Ｔの天板として適用したものである。ここでは天板１を、その一側端部において脚柱ＴＬ１及び複数の脚羽根ＴＬ２を具備する一対の脚体ＴＬに支持させることによりテーブルＴを構成したものを示しているが、天板１の支持構造は特に限定されるものではなく、片方又は両方の脚体として袖構造体や脚板、或いはその他一般的なテーブルの脚として利用されるものを適用しても構わない。以下、天板１の構成について具体的に説明する。
【００１８】
天板１は、上天板２と下天板３とを上下に重ね合わせた二重天板構造を有するものであり、上天板２と下天板３とを相対的に移動させる移動機構４を備えている。本実施形態ではこの移動機構４によって、一対の脚体ＴＬに支持された下天板３に対して上天板２が水平方向にスライド移動可能としている。具体的に上天板２のスライド移動は、図１に示すように下天板３と略完全に重なり合った通常使用位置Ｐと、図２に示すように水平方向へずれて下天板３の上面が部分的に上方へ露出される開放使用位置Ｑとの間で双方向で行われる。そして、開放使用位置Ｑでは、図２に示すように下天板３の露出部位において、下天板３に形成した収納部３１が上方へ開放されるようにしている。ここで本実施形態では収納部３１として、ペン等の小物類を収納し得るトレー３１Ａ１、３１Ａ２と、電源用コンセント３１Ｂ１及び情報用コンセント３１Ｂ２を収納し得るコンセントホルダ３１Ｂを適用している。
【００１９】
上天板２及び下天板３は、図１、図２及び図３に示すように、共に略等しい平面視形状を有するものであり、上述した通常使用位置Ｐにおいては下天板３が上天板２によって上方から略完全に覆い隠されることになる。本実施形態では、これら上天板２及び下天板３として、平面視概略楕円形状をなす適宜厚さの木製天板を利用しており、下天板３の下面側両側端部においてそれぞれ適宜の天板受け部材（図示省略）を介して一対の脚体ＴＬを取り付けている。また、下天板３の一方の脚体ＴＬ側における側端部には、その上面を部分的に窪ませて形成したトレー３１Ａ１（図示例では角形）及びトレー３１Ａ２（同、丸形）を形成するとともに、上下に貫通させた角穴からなるコンセントホルダ３１Ｂを形成している。このようにすることで、収納部３１の上端を下天板３の上面と略一致させ、収納部３１が下天板３と上天板２との空隙に進入しないようにして天板１の構造のコンパクト化を図っている。なお、このようなトレー３１Ａ１、３１Ａ２に限らず、下天板３の該当部位を上下に貫通させた穴や上述のような窪みに皿状の部材を嵌め込んでトレーとすることもできるし、トレー自体の形状も特に限定されるものではない。また、図示例ではコンセントホルダ３１Ｂに電源用コンセント３１Ｂ１及び情報用コンセント３１Ｂ２を個別に装着済の状態で表しているが、電源用・情報用が一体となったコンセント等の一般的なコンセントを装着するようにしても構わない。
【００２０】
移動機構４は、図３、図４及び図５に示すように、上天板２を下天板３に対して水平スライドさせるための機構である。具体的にこの移動機構４は主として、下天板３に形成したガイド溝３２と、上天板２に取り付けたスライダ２１とから構成される。ガイド溝３２は、下天板３においてその平面視形状である楕円形の長軸方向、すなわち下天板３の長手方向に沿って延びるように上下に貫通させた長溝状の孔である。本実施形態では斯かるガイド溝３２を、下天板３の中央部から一側端部側に偏らせて２箇所に平行に形成している。なお、この２つのガイド溝３２は、下天板３の短軸方向を前後方向とした場合の前端部と後端部とに形成してある。一方、スライダ２１は、上述のガイド溝３２に対応して上天板２の下面に取り付けた２つの長尺な部材であり、その長手寸法をガイド溝３２の長手寸法の約２／３程度にしている。具体的にスライダ２１は、２本のＬ字金具２１１、２１１と、これらＬ字金具２１１、２１１間に設けられるスペーサ２１２とをボルト２１３によって連結した構成を有している。各Ｌ字金具２１１は、水平片２１１ａを上天板２の下面にビス止めするとともに、垂下片２１１ｂをガイド溝３２内に上方から侵入させたものである。スペーサ２１２は、Ｌ字金具２１１、２１１の長手方向において間欠的に配置（図示例では等間隔に３個配置）したブロック状をなす部材であり、水平方向に貫通するネジ孔２１２ａにＬ字金具２１１の垂下片２１１ｂを貫通させたボルト２１３を締め込むようにしている。このような構成に基づいて、本実施形態における移動機構４は、スライダ２１をガイド溝３２内でスライド移動させることに伴って上天板２を下天板３に対してスライドさせるようにしている。
【００２１】
ここで、このままの構成では上天板２が下天板３から上方に離間する虞があるため、それを防止すべく天板１に、上述の移動機構４の構成を利用した上下離間規制部５を設けている。この上下離間規制部５は、図３、図４及び図６に示すように、下天板３においてガイド溝３２に沿って取り付けた規制部材３３と、スライダ２１に固定したストッパ２２とから構成される。まず規制部材３３は、ガイド溝３２と略同じ長手寸法を有する長尺なチャネル状をなす金具であり、ガイド溝３２を跨いだ状態で下天板３の下面にビス止めされている。さらに規制部材３３の前後方向中央部には長手方向に延びるように窪ませた溝部３３１を形成しており、この溝部３３１に、通常使用位置Ｐと開放使用位置Ｑとの間の上天板２の移動距離に略等しいスリット３３２を上下に貫通させて形成してある。一方、ストッパ２２は、スライダ２１を構成する一対のＬ字金具２１１、２１１間に溶接等により固定したストッパ本体２２１と、このストッパ本体２２１の下面に開口するように形成したネジ孔２２１ａに締着されるボルト２２２とから構成される。このボルト２２２の頭部には、規制部材３３のスリット３３２の開口幅よりも広幅の鍔部２２２ａが設けられており、ボルト２２２を規制部材３３の下方からスリット３３２に挿入してストッパ本体２２１のネジ孔２２１に螺着するようにしている。本実施形態ではストッパ２２を、スライダ２１の隣接するスペーサ２１２の間に合計２個設けている。このようにすることで、鍔部２２２ａが規制部材３３に下方から当接することとなって、上天板２の下天板３からの上方への離間が規制されることになる。
【００２２】
以上のように、テーブルＴに適用された本実施形態の天板１は、上天板２と下天板３とを上下に重合した二重天板構造を有し、移動機構４によってこれら上天板２と下天板３とを相対移動、より具体的には下天板３に対して上天板２を移動可能な構成としたものである。そして、上天板２によって下天板３が上方から覆い隠された通常使用位置Ｐでは、上天板２の上面を載置面とした通常のテーブルＴの天板としての機能を果たすことができ、上天板２を移動させて下天板３の上面の一部を露出させた開放使用位置Ｑでは、当該下天板３の露出部位に設けた収納部３１の一態様であるトレー３１Ａ１、３１Ａ２にペン等の文具や指図用ポインタ等の小物類を出し入れしたり、同じく収納部３１の一態様であるコンセントホルダ３１Ｂに装着した電源用コンセント３１Ｂ１や情報用コンセント３１Ｂ２にプラグを差し込んだりするといった機能を発揮することができる。なお、トレー３１Ａ１、３１Ａ２に収納した小物類やコンセントホルダ３１Ｂに装着した電源用コンセント３１Ｂ１や情報用コンセント３１Ｂ２は、通常使用位置Ｐにおいては上天板２によって隠しておくことができるし、開放使用位置Ｑにおいても上天板２の上面を載置面として利用するだけでなく、載置面を下天板３の上面における露出部位のうち収納部３１以外の部位にも拡張することができる。すなわち、斯かる構成の天板１であれば、物品を載置するという通常の天板としての機能に、天板１の周囲での作業で用いられる物品を収納するという機能を付加することができる。このことは、特にテーブルＴを、通常は収納機能を有さないミーティングテーブルとして使用する場合に非常に便利である。
【００２３】
さらに、収納部３１の上端を、下天板３の上面と略同一高さ位置に設定しているので、収納部３１が下天板３の厚さ範囲内に収まることになり、天板１全体の厚さに変更を生じずコンパクトに収納機能を確保することができる。
【００２４】
特に、移動機構４に基づく上天板２の下天板３に対する移動を、上天板２の高さ変更を伴わない双方向水平スライド移動としているため、上天板の上面の載置面としての使い勝手を通常使用位置Ｐでも開放使用位置Ｐでも良好なものとすることができ、狭い室内空間でも容易に通常使用位置Ｐと開放使用位置Ｑとの変更を行うことができる。
【００２５】
さらに、移動機構４は、下天板３に形成した長溝状をなすガイド溝３２と、このガイド溝３２内を移動するように上天板２に取り付けたスライダ２１とから構成しているので、天板１全体の厚みをあまり増大させずに上天板２のスライド動作を実現することができる。特に、スライダ２１は上天板２の長手方向に沿って取り付けた細長い金属部材であるので、上天板２のスライド動作をブレの少ないものとするとともに、木製の上天板２の反りをも有効に防止することができる。
【００２６】
また、下天板３にはガイド溝に沿って延びる規制部材３３を設けており、上天板２に取り付けたストッパ２２を規制部材３３のスリット３３２に挿入してスライド移動可能且つ上下移動不能に係合させることで、上天板２の下天板３に対する上方向への離間を規制する上下離間規制部５を形成しているので、上天板２の下天板３に対するスライド移動の安定化と抜け出しを防止することができる。さらに規制部材３３は、下天板３の長手方向に延びる金属部材であるため、この規制部材３３によって下天板３の反りをも防止することが可能である。
【００２７】
なお、本発明は上述した実施形態に限られるものではない。例えば、上記実施形態に係る天板１を、それを支持する一対の脚体ＴＬのうち一方が図７に示すような筐体状の袖構造体ＴＳであるミーティングテーブル（以下、「テーブル」と略称する）Ｔ'に適用することもできる。同図においては、袖構造体ＴＳ以外の部位は上記実施形態のものと共通であるので、共通の符号を附して説明するものとする。このようなテーブルＴ'では、袖構造体ＴＳ内の収納空間ＴＳｓに例えばミーティング時に用いられる物品としてプロジェクタ、資料箱、道具箱等を収納しておき、必要に応じてこれら物品を収納空間ＴＳｓから取り出し天板１の上面に載置して使用される。また、ミーティングに参加する人員は、天板１の下方空間が広い側すなわち脚体ＴＬ側に集合するのが通常であるので、天板１の下方空間が狭い側である袖構造体ＴＳ側における天板１の上面（すなわち上天板２の上面）に前記プロジェクタ等の物品を載置することになる。その際、上天板２と下天板３とを相対スライドさせて開放使用位置Ｑとすることによって、下天板３の上面に設けた収納部３１（トレー３１Ａ１、３１Ａ２、電源用コンセント３１Ｂ１、情報用コンセント３１Ｂ２）を露出させると、同図に想像線で示すようにプロジェクタＸ等の電気機器の電源の取り回し等が非常に便利になり、ミーティング時におけるこのような天板１上の物品配置及び物品収納だけでなくテーブルＴ'周りの人員配置を効率のよいものとすることが可能となる。さらに、袖構造体ＴＳの下端部にキャスタを設けるだけでなく、図示しないが袖構造体ＴＳの上端部に下天板３を枢着した構成として、袖構造体ＴＳを床面に対して水平回動させ且つ袖構造体ＴＳと下天板３とを相対的に回動させ得るようにすれば、袖構造体ＴＳの収納空間ＴＳｓへの物品の出し入れを簡便に行うことができるようになる。
【００２８】
また、上記実施形態及び変形例では、移動機構を上天板が一直線状にスライド動作するものとしたが、上天板が回転動作を伴ってスライド動作するような構成とすることも可能であるし、その動作もスライド動作に限定されるものでもなく、固定された上天板に対して下天板を移動させるような移動機構を採用することも可能である。また、上下離間規制部は、移動機構の構成部品を利用しない独立した構造からなるものとしても構わない。さらに、上天板及び下天板の形状も任意に変更することができ、例えば下天板が上天板よりも小さいものであってもよい。その他、各部の具体的構成についても上記実施形態に限られるものではなく、本発明の趣旨を逸脱しない範囲で種々変形が可能である。
【図面の簡単な説明】
【００２９】
【図１】本発明の一実施形態を適用したテーブルにおいて通常使用位置を示す斜視図。
【図２】同テーブルにおいて開放使用位置を示す斜視図。
【図３】同実施形態における移動機構を特に示す概略的な平面図。
【図４】同移動機構を示す拡大平面図。
【図５】図４におけるＡ−Ａ線断面図。
【図６】同Ｂ−Ｂ線断面図。
【図７】同実施形態を適用したテーブルの変形例において開放使用位置を示す斜視図。
【符号の説明】
【００３０】
１…天板
２…上天板
３…下天板
４…移動機構
５…上下離間規制部
２１…スライダ
３１…収納部
３１Ａ１，３１Ａ２…トレー
３１Ｂ…コンセントホルダ
３２…ガイド溝
３３…規制部材
Ｐ…通常使用位置
Ｑ…開放使用位置
【図１】
2005192758.tif 000003
【図２】
2005192758.tif 000004
【図３】
2005192758.tif 000005
【図４】
2005192758.tif 000006
【図５】
2005192758.tif 000007
【図６】
2005192758.tif 000008
【図７】
2005192758.tif 000009